(57)【要約】      （修正有）【課題】不要部の網戸のネットを簡易に綺麗に切る事が出来るスライド式カッター。【解決手段】大型カッターに特殊な形の補助具を薄型の両面テープで貼り付けて作業する。【選択図】図１
2014200665.tif 000002
【特許請求の範囲】
【請求項１】
網戸張替専用補助具（サッシガイド付き）を軟質プラスチック製で製作し、網戸張替え時にカッターナイフの刃を一番長い状態に出して両面テープでサッシガイド付き補助具の刃型に合わせて貼り付けて補助具がカッター本体にあたるまで少し戻してして準備は完了です。
この補助具の先端が丸くなっているのは、新しいネットに刃先があたっててもネットを破らなくするためのアイディアーであり、半対象の物を作れば左利き専用も可能である。
新しい網戸を張り付けネットの押さえゴムを取りつけ後に不要部分のネットを左手で垂直に持ち上げて補助具の裏側のガイドをサッシ枠の外側にあてて直進方向にカッターを押しながらネットを切っていく。
【請求項２】
上記に記載した補助具は比較的に小さい物体なので大型カッターナイフの握り手の外側部分に収納しておけば無くなる心配もなく普段の通常カッターナイフとしても使用ができ、網戸張替え時に効力を発揮し容易で綺麗に切る事が出来る。
【発明の詳細な説明】
【技術分野】
【背景技術】
【０００１】  シェアハウスの網戸の張り替え作業時にホームセンターで売っている網戸専用カッター（特許出願中）のカッターを使ったところネットの繊維がたまったり、繊維の残りネットくずをハサミで切るようなあまり綺麗に切れなかったのでこのアイディアーを思いつきました。
【先行技術文献】
【０００２】  従来あるスライド式カッターの刃の部分に私が考案した網戸専用補助具（ガイド付）を両面テープで貼り付けて作業する事で不要部の網戸のネットを簡易に綺麗に切る事が出来る。
克、この用具を大型カッター握り手部分に収納する事によりこの用具の紛失を防ぎ通常カッターとしても使用可能な点です。
【特許文献】
【特許文献】  網戸張替用具を収納した大型カッターを提案及び提供する。
【０００３】
【特許文献１】  網戸張替専用  ガイド付き用具  （左利き用も制作可能）
【特許文献２】  市販の大型カッターの持ち手部分（刃の見える反対側の面）にする事である。
【発明の概要】
網戸張替専用ガイド付き用具とこの用具を収納した大型カッターを提供する。
【発明が解決しようとする課題】  この発明で多くの一般の日曜大工の好きな人やプロの網戸張替え業者に使用していただく事。
【発明が解決しようとする手段】
特許の出願の後に大手のカッターナイフ製造販売会社にピーアールして商品化してもらう事。
【発明の効果】
一般の方やプロの業者の方に使って頂いて、簡易かつ綺麗に不要部分を切る事が出来ると共に通常のカッターナイフとしても使用できる効果がある。
【図面の簡単な説明】
【図１】図面１は網戸張替専用ガイド付き補助具
【図２】図面２は上記補助具を収納した一般の大型カッターナイフ
2014200665.tif 000003
2014200665.tif 000004
【発明を実施するための形態】
大手カッターナイフ製造販売会社とタイアップして契約をし商品化アイディアー料としてメーカー小売価格の数パーセントを月極めで頂く形態にしたい。
【実施例】  特になし
【産業上の利用可能性】  カッターナイフ製造販売会社なら容易に製作・ネーミング・パッケージ・販売までの効果のアップがある。
【符号の説明】〔図１は網戸張り替え専用ガイド付補助具〕
１の丸み部分は新しく張った網ネットに触れた際、網ネットを傷付けないの工夫である。
２の凹み部分はカッターナイフに本体Ａには貼り付け際、貼り合わせしやすくする工夫である。
３の部分へ本体Ａの裏面にあるサッシガイドで作業時にでカッターナイフを安定させる為の工夫である。
５の部分は本体Ｂから本体Ａの補助具を簡単に取り外し安く斜めにした工夫である。
６の部分は新しく張ったネットを傷つけないための工夫である。
〔図２は網戸張替え専用（ガイド付）補助具を収納したカッターナイフ〕
４の部分は、本体Ｂに埋め込む際に本体Ａと同じ形状で凹みを作る際、取り外し易くするために同じ深さの丸みの凹みを作っておく工夫である。
【図１】
2014200665.tif 000005
【図２】
2014200665.tif 000006
【手続補正書】
【提出日】平成25年6月26日(2013.6.26)
【手続補正１】
【補正対象書類名】明細書
【補正対象項目名】全文
【補正方法】変更
【補正の内容】
【発明の詳細な説明】
【技術分野】
【背景技術】
【０００１】  シェアハウスの網戸の張り替え作業時にホームセンターで売っている網戸専用カッター（特許出願中）のカッターを使ったところネットの繊維がたまったり、繊維の残りネットくずをハサミで切るようなあまり綺麗に切れなかったのでこのアイディアーを思いつきました。
【先行技術文献】
【０００２】  従来あるスライド式カッターの刃の部分に私が考案した網戸専用補助具（ガイド付）を両面テープで貼り付けて作業する事で不要部の網戸のネットを簡易に綺麗に切る事が出来る。
克、この用具を大型カッター握り手部分に収納する事によりこの用具の紛失を防ぎ通常カッターとしても使用可能な点です。
【特許文献】
【特許文献】  網戸張替用具を収納した大型カッターを提案及び提供する。
【０００３】
【特許文献１】  網戸張替専用ガイド付き用具（左利き用も制作可能）
【特許文献２】  市販の大型カッターの持ち手部分（刃の見える反対側の面）にする事である。
【発明の概要】
網戸張替専用ガイド付き用具とこの用具を収納した大型カッターを提供する。
【発明が解決しようとする課題】［この発明で多くの一般の日曜大工の好きな人やプロの網戸張替え業者に使用していただく事。］
【発明が解決しようとする手段】
［特許の出願の後に大手のカッターナイフ製造販売会社にピーアールして商品化してもらう事。］
【発明の効果】
［一般の方やプロの業者の方に使って頂いて、簡易かつ綺麗に不要部分を切る事が出来ると共に通常のカッターナイフとしても使用できる効果がある。］
【発明を実施するための形態】
［大手カッターナイフ製造販売会社とタイアップして契約をし商品化アイディアー料としてメーカー小売価格の数パーセントを月極めで頂く形態にしたい。］
【実施例】［特になし］
【産業上の利用可能性】［カッターナイフ製造販売会社なら容易に製作・ネーミング・パッケージ・販売までの効果のアップがある。
【図面の簡単な説明】
【図１】  網戸張替専用  ガイド付補助具  本体Ａの説明  軟質プラスチック製で１の丸みの部分は破棄する部分を切る際に新しい網みにカッターナイフが触れた場合に新しい網（ネット）を傷付けないための工夫である。１は新しいネットを傷つけないために丸くする。２は大型カッターの刃型に合わせて凹みをつける。３の裏面から見た図の斜線部分はサッシガイドで網を張り終わった時点で破棄する部分を切る際にカッターナイフを安定させネットを綺麗にきり切り取る為の工夫である。４はカッター本体から取り外す際、指が入り易くするための凹みである。５の部分はカッターから本体Ａを取り外し易くする工夫です。６の丸い部分は新しく張ったネットを傷付けない工夫です。半対象の物を作れば左利き専用のアイテムも可能となる。
【図２】  ［図１］の網戸張替用専用  ガイド付補助具を収納したカッターナイフ  本体Ｂの説明  通常の大型カッターナイフＢの握り手部分（刃の見えない面）に収納する事を目的とする。本体Ａが小さい物なので本体Ｂに収納する事で紛失の心配もなく、通常のカッターナイフとして使用出来る二つの要素を兼ね備えたカッターである。４の部分は、カッターか網戸用補助具を取り外す際に指がかかり安くするための凹み部分でであり、補助具と同様のへこみの厚さで成形する。
【符号の説明】［図１は網戸張り替え専用  ガイド付補助具］
１の丸み部分は新しく張った網ネットに触れた際、網ネットを傷付けないの工夫である。
２の凹み部分はカッターナイフに本体Ａには貼り付け際、貼り合わせしやすくする工夫である。
３の部分へ本体Ａの裏面にあるサッシガイドで作業時にでカッターナイフを安定させる為の工夫である。
５の部分は本体Ｂから本体Ａの補助具を簡単に取り外し安く斜めにした工夫である。
６の部分は新しく張ったネットを傷つけないための工夫である。
［図２は網戸張替え専用（ガイド付）補助具を収納したカッターナイフ］
４の部分は、本体Ｂに埋め込む際に本体Ａと同じ形状で凹みを作る際、取り外し易くするために同じ深さの丸みの凹みを作っておく工夫である。
【手続補正２】
【補正対象書類名】図面
【補正対象項目名】全図
【補正方法】変更
【補正の内容】
【図１】
2014200665.tif 000007
【図２】
2014200665.tif 000008
【手続補正書】
【提出日】平成25年8月4日(2013.8.4)
【手続補正１】
【補正対象書類名】明細書
【補正対象項目名】全文
【補正方法】変更
【補正の内容】
【発明の詳細な説明】
【技術分野】
【背景技術】
【０００１】  シェアハウスの網戸の張り替え作業時にホームセンターで売っている網戸専用カッター（特許出願中）のカッターを使ったところネットの繊維がたまったり、繊維の残りネットくずをハサミで切るようなあまり綺麗に切れなかったのでこのアイディアーを思いつきました。
【先行技術文献】
【０００２】  従来あるスライド式カッターの刃の部分に私が考案した網戸張替え専用補助具（ガイド付）に磁石で貼り付けて作業する事で不要部の網戸のネットを簡易に綺麗に切る事が出来る。
この網戸張り替え専用補助具には事前にマグネットシートをボンド等で接着して作製しておく事が大事な要点である。
【特許文献】
【特許文献】  網戸張り替え専用補助具を提案及び提供する。（左利き用も制作  可能）
【０００３】
【特許文献１】  網戸張り替え専用補助具（ガイド付き用具）
【特許文献２】  軟質のプラスチックで製作し、大方カッターナイフの刃の部分をマグネットシートの部分に貼り付けて作業し、不要な網戸のネットを簡単・綺麗に切る事が出来る道具。
【発明の概要】
網戸張り替え専用補助具（ガイド付き）を提供する。
【発明が解決しようとする課題】［この発明で多くの一般の日曜大工の好きな人やプロの網戸張替え業者に使用していただく事。］
【発明が解決しようとする手段】
［特許の出願の後に大手プラスチック製造販売会社にピーアールして商品化してもらう事。］
【発明の効果】
［一般の方やプロの業者の方に使って頂いて、簡易かつ綺麗に不要部分を切る事が出来る事である。］
【発明を実施するための形態】
［大手プラスチック製造販売会社とタイアップして契約をし商品化アイディアー料としてメーカー小売価格の数パーセントを月極めで頂く形態にしたい。］
【実施例】［特になし］
【産業上の利用可能性】［大手プラスチック製造販売会社なら容易に製作・ネーミング・パッケージ・販売までの効果のアップがある。］
【図面の簡単な説明】
【図１】  網戸張り替え専用ガイド付補助具  この補助具は軟質プラスチック製で製作し、網戸の張り替えの際に市販の大型カッターナイフに貼り付けて使用する補助具である道具を考案し提供する。１は新しいネットを傷つけないために丸くする。２は大型カッターの刃型で、マグネットシート分とナイフの厚みに合わせて凹みをつける。３の裏面から見た図の斜線部分はサッシガイドで網を張り終わった時点で不要な部分を切る際にカッターナイフを安定させネットを綺麗に切り取る為の工夫である。４はマグネットシートであり、使用時にはここに大型カッターの刃の部分を貼り付けて使用する。マグネットシートを使う事で表面に説明書きが可能となり、コストの削減も見込まれる。５の丸みは新しく張ったネットの不要部分切り取る際、ネットを傷つけない為の工夫である。半対象の物を作れば左利き専用のアイテムも可能となる。
【図２】  ［図１］の網戸張り替え専用ガイド付補助具を大型カッターナイフに装着した図である。
【符号の説明】［図１は網戸張り替え専用ガイド付補助具］
１の丸み部分は新しく張った網ネットに触れた際、網ネットを傷付けないの工夫である。
２の凹み部分にはマグネットシートを貼り付けてあるのでカッターナイフが補助具に貼り付ける際貼り合わせしやすくする工夫である。
３の部分へ本体Ａの裏面にあるサッシガイドで作業時にでカッターナイフを安定させる為の工夫である。
４の部分には成形後にマグネットシートをボンド等で貼り付けて製作する。
５の部分は新しく張ったネットを傷つけないための工夫である。
［図２は網戸張り替え専用（ガイド付）補助具にカッターナイフを貼り付けた図］
【手続補正２】
【補正対象書類名】図面
【補正対象項目名】全図
【補正方法】変更
【補正の内容】
【図１】
2014200665.tif 000009
【図２】
2014200665.tif 000010
【手続補正３】
【補正対象書類名】特許請求の範囲
【補正対象項目名】全文
【補正方法】変更
【補正の内容】
【特許請求の範囲】
【請求項１】
網戸張り替え専用補助具（サッシガイド付き）を軟質プラスチック製で製作し、網戸張替え時にカッターナイフの刃を一番長い状態に出してサッシガイド付き補助具の刃型のマグネットシートと凹みに合わせて貼り付けて補助具がカッター本体にあたるまで少し戻してして準備は完了です。
この補助具の先端が丸くなっているのは、新しいネットに刃先があたっててもネットを破らなくするためのアイディアーであり、半対象の物を作れば左利き専用も可能である。
新しい網戸を張り付けネットの押さえゴムを取りつけ後に不要部分のネットを左手で垂直に持ち上げて補助具の裏側のガイドをサッシ枠の外側にあてて直進方向にカッターを押しながらネットを切っていく。
【請求項２】
マグネットシートを使用をする事でカッターナイフが安定し不要部分を綺麗に切り取る事が出来る。
サッシガイドも付いているので、より良く安定して網戸の不要部分を切り取る事が出来る。